(57)【要約】【課題】  感光材料の振動に起因する画像品質の低下を効果的に抑制する。【解決手段】  露光搬送ローラ対２５、２６で一定速度で搬送しつつ感光材料Ｐに対する露光処理を行う。このとき、通常は、受け入れローラ対２１は開放状態になっている。そして、露光部での露光処理が行われているときにカッター１２での感光材料Ｐの切断が行われる場合には、感光材料Ｐが切断される直前に、受け入れローラ対２１を挟持状態に切り換える。また、感光材料Ｐの後端部が送り出しローラ対１３を通過する直前に、受け入れローラ対２１を挟持状態に切り換える。【選択図】図３
2007025461.tif 000002
【特許請求の範囲】
【請求項１】
感光材料に対して露光処理を行う露光部と、
感光材料を挟持して搬送可能であり、前記露光部による露光位置での感光材料の搬送速度を支配する露光搬送ローラ対と、
前記露光部よりも搬送方向上流側において感光材料を切断する切断部と、
前記切断部の搬送方向下流側において、感光材料を挟持して搬送可能な送り出しローラ対と、
前記送り出しローラ対と前記露光搬送部との間に配置されており、感光材料を挟持する挟持状態及び感光材料を挟持しない開放状態のいずれかの状態を取り得る受け入れローラ対と、
前記送り出しローラ対と前記受け入れローラ対との間を搬送される感光材料の少なくとも一部に弛み部が形成された状態において、前記受け入れローラ対が開放状態であり且つ前記露光搬送ローラ対により搬送される感光材料に対する前記露光部での露光処理が行われているときに前記切断部での感光材料の切断が行われる場合には、感光材料が切断される直前に、前記受け入れローラ対を挟持状態に切り換える制御手段とを備えていることを特徴とする写真処理装置。
【請求項２】
前記制御手段は、前記受け入れローラ対が開放状態である場合に、感光材料の後端部が前記送り出しローラ対により挟持されなくなる直前に、前記受け入れローラ対を挟持状態に切り換えることを特徴とする請求項１に記載の写真処理装置。
【請求項３】
前記制御手段は、前記受け入れローラ対が挟持状態である場合に、感光材料が前記露光搬送ローラ対に挟持された後で、前記受け入れローラ対を開放状態に切り換えることを特徴とする請求項２に記載の写真処理装置。
【請求項４】
前記送り出しローラ対と前記受け入れローラ対との間の少なくとも一部に感光材料の弛み形成領域が設けられており、
前記制御手段は、前記受け入れローラ対が開放状態である場合に、感光材料の後端部が前記弛み形成領域を搬送されている間は、前記受け入れローラ対を挟持状態に維持することを特徴とする請求項３に記載の写真処理装置。
【請求項５】
感光材料に対して露光処理を行う露光部と、
感光材料を挟持して搬送可能であり、前記露光部による露光位置での感光材料の搬送速度を支配する露光搬送ローラ対と、
前記露光部よりも搬送方向上流側において感光材料を切断する切断部と、
前記切断部と前記露光搬送部との間に配置されており、感光材料を挟持する挟持状態及び感光材料を挟持しない開放状態のいずれかの状態を取り得る受け入れローラ対と、
前記切断部と前記受け入れローラ対との間に配置されており、感光材料を挟持して搬送可能な送り出しローラ対と、
前記受け入れローラ対が開放状態である場合に、感光材料の後端部が前記送り出しローラ対により挟持されなくなる直前に、前記受け入れローラ対を挟持状態に切り換える制御手段とを備えていることを特徴とする写真処理装置。
【請求項６】
前記送り出しローラ対と前記受け入れローラ対との間の少なくとも一部に感光材料の弛み形成領域が設けられており、
前記制御手段は、前記受け入れローラ対が開放状態である場合に、感光材料の後端部が前記弛み形成領域を搬送されている間は、前記受け入れローラ対を挟持状態に維持することを特徴とする請求項５に記載の写真処理装置。
【発明の詳細な説明】
【技術分野】
【０００１】
本発明は、長尺の感光材料をプリントサイズに切断すると共に、その感光材料に対して露光処理を行う写真処理装置に関するものである。
【背景技術】
【０００２】
写真処理装置でロール状の感光材料に対する露光処理が行われる場合には、感光材料がプリントサイズに切断された後で露光処理が行われることが多い。ここで、感光材料を切断する切断部と露光処理を行う露光部との距離が短い場合には、露光部での感光材料に対する露光処理と並行して、切断部で感光材料を切断しなければならないことがある。このような場合には、感光材料が切断される際の振動が、露光部で露光処理が行われている感光材料に伝わり、感光材料に形成される画像の品質が悪化するという問題が発生する。
【０００３】
そこで、切断部と露光部との間において感光材料の弛み（ループ）を形成可能な写真処理装置が知られている（例えば、特許文献１参照）。この写真処理装置では、露光位置より上流側に配置された送り出しローラと受け入れローラとの間で感光材料の弛みが形成される。そして、この状態で、感光材料の先端部が露光位置近傍の搬送ローラに供給され、感光材料の先端部が搬送ローラに挟持されると、受け入れローラの圧着は解除される。その後、送り出しローラと搬送ローラとの間に感光材料の弛みが形成された状態で、搬送ローラで搬送される感光材料に対して露光処理が行われる。そのため、送り出しローラの上流側に配置されたカッターで感光材料が切断された場合でも、切断時の振動が露光位置の感光材料に伝わりにくくなり、画像品質の悪化が抑制される。
【特許文献１】特開２００５−１０３８０６号公報（図２）
【発明の開示】
【発明が解決しようとする課題】
【０００４】
しかしながら、感光材料の弛みが切断部と露光部との間に形成されている場合でも、露光処理中に感光材料が切断されると、切断時の振動が露光部で露光処理が行われている感光材料に伝わり、感光材料に形成される画像の品質が低下する可能性がある。また、感光材料の後端部が送り出しローラを通過した後でループ形成部を搬送されているときには、感光材料の後端部は僅かな空隙を隔てて対向する一対のガイド間を搬送されるのではないので、感光材料の後端部は大きく移動可能になる。そのため、感光材料の後端部がループ形成部を搬送されているときには、感光材料の後端部がばたついて振動を発生することがある。この感光材料の振動も感光材料に形成される画像の品質が低下する原因となる。
【０００５】
そこで、本発明の目的は、感光材料の振動に起因する画像品質の低下を抑制できる写真処理装置を提供することである。
【課題を解決するための手段および発明の効果】
【０００６】
本発明の写真処理装置は、感光材料に対して露光処理を行う露光部と、感光材料を挟持して搬送可能であり、前記露光部による露光位置での感光材料の搬送速度を支配する露光搬送ローラ対と、前記露光部よりも搬送方向上流側において感光材料を切断する切断部と、前記切断部の搬送方向下流側において、感光材料を挟持して搬送可能な送り出しローラ対と、前記送り出しローラ対と前記露光搬送部との間に配置されており、感光材料を挟持する挟持状態及び感光材料を挟持しない開放状態のいずれかの状態を取り得る受け入れローラ対と、前記送り出しローラ対と前記受け入れローラ対との間を搬送される感光材料の少なくとも一部に弛み部が形成された状態において、前記受け入れローラ対が開放状態であり且つ前記露光搬送ローラ対により搬送される感光材料に対する前記露光部での露光処理が行われているときに前記切断部での感光材料の切断が行われる場合には、感光材料が切断される直前に、前記受け入れローラ対を挟持状態に切り換える制御手段とを備えている。
【０００７】
この構成によると、露光部での露光処理が行われているときに切断部での感光材料の切断が行われる場合には、送り出しローラ対と受け入れローラ対との間に感光材料の弛み部が形成されることにより切断部における切断時の感光材料の振動が弛み部で減衰されると共に、感光材料が切断される直前に、露光部と切断部との間に配置された受け入れローラ対が感光材料を挟持するようになるので、切断部における切断時の感光材料の振動が露光処理が行われている感光材料に伝わりにくくなる。従って、切断時の感光材料の振動に起因する画像品質の低下が抑制される。
【０００８】
本発明の写真処理装置において、前記制御手段は、前記受け入れローラ対が開放状態である場合に、感光材料の後端部が前記送り出しローラ対により挟持されなくなる直前に、前記受け入れローラ対を挟持状態に切り換えてもよい。
【０００９】
この構成によると、感光材料の後端部が送り出しローラを通過する直前に、受け入れローラ対が感光材料を挟持するようになるので、感光材料の後端部がばたついた場合でも、感光材料の後端部の振動が露光処理が行われている感光材料に伝わりにくくなる。従って、感光材料の後端部の振動に起因する画像品質の低下が抑制される。
【００１０】
本発明の写真処理装置において、前記制御手段は、前記受け入れローラ対が挟持状態である場合に、感光材料が前記露光搬送ローラ対に挟持された後で、前記受け入れローラ対を開放状態に切り換えてもよい。
【００１１】
この構成によると、感光材料が露光搬送ローラ対に挟持されつつ露光処理が行われている場合には、感光材料が切断される直前、感光材料の後端部が送り出しローラ対を通過する直前及び感光材料の後端部が弛み形成領域を搬送されている間以外は、受け入れローラ対が開放状態になっている。従って、通常は、露光処理が行われている感光材料は露光搬送ローラ対だけで挟持されるので、多くのローラ対で挟持される感光材料に露光処理が行われることにより、画像品質が低下するのが抑制される。
【００１２】
本発明の写真処理装置において、前記送り出しローラ対と前記受け入れローラ対との間の少なくとも一部に感光材料の弛み形成領域が設けられており、前記制御手段は、前記受け入れローラ対が開放状態である場合に、感光材料の後端部が前記弛み形成領域を搬送されている間は、前記受け入れローラ対を挟持状態に維持してもよい。
【００１３】
この構成によると、感光材料の後端部が弛み形成領域を搬送されている間は、受け入れローラ対が感光材料を挟持しているので、この間に感光材料の後端部がばたついた場合でも、感光材料の後端部の振動に起因する画像品質の低下が確実に抑制される。
【００１４】
本発明の写真処理装置は、感光材料に対して露光処理を行う露光部と、感光材料を挟持して搬送可能であり、前記露光部による露光位置での感光材料の搬送速度を支配する露光搬送ローラ対と、前記露光部よりも搬送方向上流側において感光材料を切断する切断部と、前記切断部と前記露光搬送部との間に配置されており、感光材料を挟持する挟持状態及び感光材料を挟持しない開放状態のいずれかの状態を取り得る受け入れローラ対と、前記切断部と前記受け入れローラ対との間に配置されており、感光材料を挟持して搬送可能な送り出しローラ対と、前記受け入れローラ対が開放状態である場合に、感光材料の後端部が前記送り出しローラ対により挟持されなくなる直前に、前記受け入れローラ対を挟持状態に切り換える制御手段とを備えている。
【００１５】
この構成によると、感光材料の後端部が送り出しローラを通過する直前に、露光部と切断部との間に配置された受け入れローラ対が感光材料を挟持するようになるので、感光材料の後端部がばたついた場合でも、感光材料の後端部の振動が露光処理が行われている感光材料に伝わりにくくなる。従って、感光材料の後端部の振動に起因する画像品質の低下が抑制される。
【００１６】
本発明の写真処理装置において、前記送り出しローラ対と前記受け入れローラ対との間の少なくとも一部に感光材料の弛み形成領域が設けられており、前記制御手段は、前記受け入れローラ対が開放状態である場合に、感光材料の後端部が前記弛み形成領域を搬送されている間は、前記受け入れローラ対を挟持状態に維持してもよい。
【００１７】
この構成によると、感光材料の後端部が弛み形成領域を搬送されている間は、受け入れローラ対が感光材料を挟持しているので、この間に感光材料の後端部がばたついた場合でも、感光材料の後端部の振動に起因する画像品質の低下が確実に抑制される。
【発明を実施するための最良の形態】
【００１８】
以下、本発明の好適な実施の形態について、図面を参照しつつ説明する。図１は、本発明の実施の形態に係る写真処理装置の概略構成を示す図である。
【００１９】
図１に示す写真処理装置１は、長尺な感光材料Ｐを所定長さに切断し、切断された感光材料Ｐを露光処理するプリンタ部Ａと、プリンタ部Ａによって露光処理が施されて乳剤面に潜像が形成された感光材料Ｐを現像液に浸漬させて現像処理し乾燥させるプロセッサ部Ｂと、プリンタ部Ａで露光処理された感光材料Ｐを並列状態に配置しプロセッサ部Ｂに搬送する連結部Ｃとを有している。なお、プリンタ部Ａ、プロセッサ部Ｂ及び連結部Ｃは、同一筐体により形成されている。
【００２０】
プリンタ部Ａにおける筐体外部の上部には、写真処理装置１の処理状況等が表示されるモニター５と、顧客が持参してきたコンパクトディスクやメモリーカード等に記憶された画像データを読み取る読取装置６とが設けられている。また、プリンタ部Ａの内部には、読取装置６により読み取られた画像データを一時的に記憶すると共に写真処理装置１の各部の制御を行う制御部７と、乳剤面が外側になるようにロール状に巻回された長尺の感光材料Ｐを軸周りに回転可能に枢支して収容するマガジン８と、マガジン８から引き出された感光材料Ｐを所定長さに切断した後、感光材料Ｐを水平方向に搬送するペーパー供給部１０と、ペーパー供給部１０から受け取った感光材料Ｐを副走査方向に搬送する露光搬送部２０と、露光搬送部２０で搬送される感光材料Ｐの乳剤面に露光処理（いわゆる走査露光）を行うレーザ走査型の露光部２８とを備えている。
【００２１】
プロセッサ部Ｂは、露光処理が施された感光材料Ｐを現像液に浸漬させて現像処理する現像処理ユニット３０と、現像処理ユニット３０で現像処理された感光材料Ｐを乾燥させる乾燥ユニット４０とを有している。現像処理ユニット３０には、複数の槽からなる現像処理槽３１と、感光材料Ｐの現像処理槽３１への浸漬と引き上げとを行えるように適宜配設されて並列状態にある複数のローラ対３２とが設けられている。現像処理槽３１の複数の槽には現像液が入れられており、プロセッサ部Ｂでは、露光処理が施された並列状態の感光材料Ｐが複数のローラ対３２によって並列状態を維持したまま、各槽の現像液への浸漬と現像液からの引き上げとが繰り返される。その後、乾燥装置４０へと搬送されて乾燥処理が行われ、現像液の浸漬による感光材料の濡れが乾燥される。
【００２２】
次に、ペーパー供給部１０及び露光搬送部２０の構成について、図２を参照して説明する。図２は、図１の写真処理装置のペーパー供給部及び露光搬送部の構成を示す図である。
【００２３】
ペーパー供給部１０は、図２に示すように、感光材料Ｐを切断するカッター１２と、マガジン８から引き出された感光材料Ｐをカッター１２の切断位置に搬送する導入ローラ対１１と、カッター１２の下流側に配置された送り出しローラ対１３と、感光材料Ｐを挟んで水平方向に搬送するチャッカ装置１４とを有している。
【００２４】
導入ローラ対１１は、駆動ローラ１１ａと、駆動ローラ１１ａとの間で感光材料Ｐを挟持する２つの従動ローラ１１ｂ、１１ｃとを有している。駆動ローラ１１ａは、制御部７に接続されたモータ（図示しない）からの駆動力により回転駆動される。
【００２５】
カッター１２は、感光材料Ｐをプリントサイズに切断するための固定刃１２ａと可動刃１２ｂとを有している。固定刃１２ａは、感光材料Ｐの搬送経路の下方に固定されており、可動刃１２ｂは、制御部７に接続されたモータ（図示しない）からの駆動力により固定刃１２ａに向かって上下に移動可能である。
【００２６】
送り出しローラ対１３は、駆動ローラ１３ａと、駆動ローラ１３ａとの間で感光材料Ｐを挟持する従動ローラ１３ｂとを有している。駆動ローラ１３ａは、制御部７に接続されたモータ（図示しない）からの駆動力により回転駆動される。
【００２７】
チャッカ装置１４は、感光材料Ｐの先端部を露光搬送部２０に供給するためのものである。チャッカ装置１４には、感光材料Ｐの先端部を挟む挟持部１４ａが設けられており、挟持部１４ａを保持するキャリア１４ｂは、移動軸１４ｃに沿って水平方向に移動可能である。従って、キャリア１４ｂが送り出しローラ対１３近傍に配置された状態（図２の状態）で、挟持部１４ａにより感光材料Ｐの先端部が挟持された後で、キャリア１４ｂが露光搬送部２０に向かって移動することによって、感光材料Ｐの先端部を露光搬送部２０に送り込むことが可能である。
【００２８】
また、ペーパー供給部１０の送り出しローラ対１３の下流側には、感光材料Ｐの搬送経路の下方に配置されたループ形成領域Ｌが設けられている。つまり、ペーパー供給部１０では、送り出しローラ対１３の下流側に水平ガイド１５が設けられると共に、露光搬送部２０の受け入れローラ２１の上流側に水平ガイド１７が設けられている。そして、水平ガイド１５と水平ガイド１７とは離隔しており、水平ガイド１５の端部から斜め下方向に延在する傾斜ガイド１６が設けられている。従って、水平ガイド１５と水平ガイド１７との間であり且つ傾斜ガイド１６の上方の領域がループ形成領域Ｌになる。
【００２９】
また、ループ形成領域Ｌの上方には、支持部材（図示しない）によって回転自在に支持された２つの回転ローラ１８が配置されている。２つの回転ローラ１８は、感光材料Ｐの搬送経路よりも上方において、搬送経路の幅方向中心位置に対して対称となる位置に配置されている。つまり、２つの回転ローラ１８は、図２では紙面に垂直な方向に離隔して配置されている。
【００３０】
２つの回転ローラ１８は、感光材料Ｐの弛みがループ形成領域Ｌで形成されるようにするためのものである。つまり、感光材料Ｐの先端部がチャッカ装置１４の挟持部１４ａで挟持された状態で、送り出しローラ対１３の回転駆動が開始された場合には、感光材料Ｐの巻き癖によって、感光材料Ｐが搬送経路よりも上方に弛み始める。そして、感光材料Ｐの弛みが少し形成された段階で、感光材料Ｐが２つの回転ローラ１８に当接し、感光材料Ｐの腰が折られ、感光材料Ｐの弛みが搬送経路よりも下方のループ形成領域Ｌで形成されるようになる。ここで、感光材料Ｐが２つの回転ローラ１８に当接した場合でも、回転ローラ１８は回転自在に支持されているので、感光材料Ｐの損傷が抑制される。
【００３１】
露光搬送部２０は、ペーパー供給部１０から供給された感光材料Ｐを受け入れる受け入れローラ対２１と、露光部２８による露光位置での感光材料Ｐの搬送速度を支配する２つの露光搬送ローラ対２５、２６とを有している。
【００３２】
受入れローラ対２１は、駆動ローラ２１ａと、駆動ローラ２１ａとの間で感光材料Ｐを挟持する挟持位置及び感光材料Ｐを挟持しない開放位置のいずれかの位置を取り得る従動ローラ２１ｂとを有している。受入れローラ対２１の駆動ローラ２１ａは、制御部７に接続されたモータ（図示しない）からの駆動力により回転駆動される。一方、従動ローラ２１ｂは、制御部７からの制御信号に基づいて挟持位置及び開放位置のいずれかに切り換えられる。
【００３３】
露光搬送ローラ対２５、２６は、露光位置の上流側及び下流側にそれぞれ配置されており、露光位置の感光材料Ｐを一定速度で搬送可能である。露光搬送ローラ対２５、２６は、駆動ローラ２５ａ、２６ａと、駆動ローラ２５ａ、２６ａとの間で感光材料Ｐを挟持する挟持位置及び感光材料Ｐを挟持しない開放位置のいずれかの位置を取り得る従動ローラ２５ｂ、２６ｂとをそれぞれ有している。露光搬送ローラ対２５、２６の駆動ローラ２５ａ、２６ａは、制御部７に接続されたモータ（図示しない）からの駆動力によりそれぞれ回転駆動される。一方、従動ローラ２５ｂ、２６ｂは、制御部７からの制御信号に基づいて挟持位置及び開放位置のいずれかに切り換えられる。
【００３４】
次に、ペーパー搬送部１０及び露光搬送部２０を感光材料Ｐが搬送される場合の動作について、図３を参照して説明する。図３は、ペーパー搬送部及び露光搬送部を感光材料Ｐが搬送される場合の動作を示す図である。
【００３５】
マガジン８から引き出された感光材料Ｐが導入ローラ対１１で搬送され、図３（ａ）に示すように、感光材料Ｐの先端部が送り出しローラ対１３から設定量だけ送り出されたタイミングで、感光材料Ｐの送り出しが停止され、感光材料Ｐの先端部がチャッカ装置１４の挟持部１４ａで挟持される。図３では、チャッカ装置１４の挟持部１４ａで感光材料Ｐが挟持される様子が模式的に図示されている。
【００３６】
そして、感光材料Ｐの先端部が挟持部１４ａで挟持された状態で、キャリア１４ｂが露光搬送部２０に向かって移動すると共に、この移動速度で、導入ローラ対１１及び送り出しローラ対１３によって感光材料Ｐが下流側へと送り出される。すると、図３（ｂ）に示すように、挟持部１４ａで挟持された感光材料Ｐの先端部が受入れローラ２１の駆動ローラ２１ａと従動ローラ２１ｂとの間に送り込まれる。このとき、受入れローラ２１、露光搬送ローラ対２５、２６は開放状態になっている。
【００３７】
このように、感光材料Ｐの先端部が受入れローラ２１に送り込まれ、感光材料Ｐの先端部が挟持部１４ａで挟持された状態で、導入ローラ対１１及び送り出しローラ対１３が回転駆動されると、ループ形成領域Ｌの上方に搬送された感光材料Ｐは、その巻き癖によって、図３（ｃ）に示すように、搬送経路よりも上方に弛み、２つの回転ローラ１８に当接するようになる。
【００３８】
すると、感光材料Ｐが２つの回転ローラ１８に当接した部分に下方に向かう力が加わることによって、感光材料Ｐの腰が折られて、感光材料Ｐは搬送経路よりも下方に弛むようになる。その後、導入ローラ対１１及び送り出しローラ対１３が回転駆動されると、図３（ｄ）に示すように、感光材料Ｐの弛みがループ形成領域Ｌで形成される。
【００３９】
ループ形成領域Ｌにおいて、予め設定された量の弛みが形成されると、図３（ｅ）に示すように、受け入れローラ対２１で感光材料Ｐの先端部が挟持されると共に、挟持部１４ａでの挟持が解除されると共に、受入れローラ対２１の従動ローラ２１ｂが挟持位置に移動し、受入れローラ対２１が挟持状態に切り換えられる。その後、受入れローラ対２１によって感光材料Ｐの先端部が挟持され、感光材料Ｐの搬送が開始される。
【００４０】
感光材料Ｐの先端部が、図３（ｆ）に示すように、露光搬送ローラ対２５の駆動ローラ２５ａと従動ローラ２５ｂとの間に送り込まれると、図３（ｇ）に示すように、露光搬送ローラ対２５の従動ローラ２５ｂが挟持位置に移動し、露光搬送ローラ対２５が挟持状態に切り換えられると共に、受入れローラ対２１の従動ローラ２１ｂが開放位置に移動し、受け入れローラ対２１での挟持が解除される。
【００４１】
引き続き、露光搬送ローラ対２５で感光材料Ｐの先端部が挟持されることによって感光材料Ｐが搬送される。このとき、露光搬送ローラ対２５で搬送される感光材料Ｐに対する露光処理が開始される。そして、感光材料Ｐの先端部が、露光搬送ローラ対２６の駆動ローラ２６ａと従動ローラ２６ｂとの間に送り込まれると、図３（ｈ）に示すように、露光搬送ローラ対２６の従動ローラ２６ｂが挟持位置に移動し、露光搬送ローラ対２６が挟持状態に切り換えられる。なお、感光材料Ｐに対する露光処理は、露光搬送ローラ対２６が挟持状態に切り換えられた後も、露光搬送ローラ対２５、２６で搬送される感光材料Ｐに対して継続して行われる。
【００４２】
このとき、受け入れローラ対２１は開放状態になっている。なお、露光搬送ローラ対２５、２６による搬送と同期した速度で、導入ローラ対１１及び送り出しローラ対１３が同期駆動されることにより、ループ形成領域Ｌに形成される感光材料Ｐの弛みが所定量に維持される。
【００４３】
そして、感光材料Ｐに対する露光処理が行われているときに、感光材料Ｐのカット位置がカッター１２の切断位置に到達すると、導入ローラ対１１及び送り出しローラ対１３が一時停止され、図３（ｉ）に示すように、カッター１２によって感光材料Ｐが切断される。ここで、感光材料Ｐが切断される直前に、受け入れローラ対２１の従動ローラ２１ｂが挟持位置に移動し、受入れローラ対２１が挟持状態に切り換えられる。
【００４４】
感光材料Ｐの切断が終了すると、図３（ｊ）に示すように、受け入れローラ対２１の従動ローラ２１ｂが開放位置に移動し、受入れローラ対２１が挟持状態から開放状態に切り換えられる。そして、引き続き、露光搬送ローラ対２５、２６で搬送される感光材料Ｐに対する露光処理が行われると共に、送り出しローラ対１３で感光材料Ｐが搬送される。その後、感光材料Ｐの後端部が送り出しローラ対１３を通過する直前に、図３（ｋ）に示すように、受け入れローラ対２１の従動ローラ２１ｂが挟持位置に移動し、受入れローラ対２１が開放状態から挟持状態に切り換えられる。
【００４５】
そして、感光材料Ｐの後端部がループ形成領域Ｌを搬送されている間は、図３（ｌ）に示すように、受け入れローラ対２１は挟持状態に維持される。このとき、受け入れローラ対２１は、露光搬送ローラ対２５、２６と同じ速度で感光材料Ｐを搬送するのが好ましい。その後、感光材料Ｐの後端部が、図３（ｍ）に示すように、ループ形成領域Ｌを通過すると、受け入れローラ対２１の従動ローラ２１ｂが開放位置に移動し、受入れローラ対２１が挟持状態から開放状態に切り換えられる。
【００４６】
引き続き、露光搬送ローラ対２５、２６で搬送される感光材料Ｐに対する露光処理が行われ、図３（ｎ）に示すように、感光材料Ｐの後端部が露光搬送ローラ対２５を通過する直前に、露光搬送ローラ対２５の従動ローラ２５ｂが開放位置に移動し、露光搬送ローラ対２５が挟持状態から開放状態に切り換えられる。その後、露光搬送ローラ対２６で搬送される感光材料Ｐに対する露光処理が行われ、図３（ｏ）に示すように、感光材料Ｐの後端部近傍に対する露光処理が終了すると、露光搬送ローラ対２６の従動ローラ２６ｂが開放位置に移動し、露光搬送ローラ対２６が挟持状態から開放状態に切り換えられる。その後、露光処理が終了した感光材料Ｐは、露光搬送部２０より下流側の連結部Ｃのローラ対３２によって搬送される。このとき、露光処理が終了した感光材料Ｐは露光搬送部２０では挟持されていないので、連結部Ｃのローラ対３２によって比較的高速で搬送することが可能になる。
【００４７】
なお、本実施の形態では、露光部２８で感光材料Ｐに対する露光処理が行われているときは、通常、受け入れローラ２１は開放状態になっている。そして、感光材料Ｐが切断される直前、感光材料Ｐの後端部が送り出しローラ対１３を通過する直前及び感光材料Ｐの後端部がループ形成領域Ｌを搬送されている間だけ、受け入れローラ２１は挟持状態に切り換えられる。このように、受け入れローラ２１で感光材料Ｐを挟持する時間を極力短くすることによって、露光処理が行われている感光材料Ｐが、露光搬送ローラ対２５、２６に挟持されるだけでなく、受け入れローラ２１に挟持されることにより搬送ムラが発生するのが抑制される。また、受け入れローラ２１の搬送力は、露光搬送ローラ対２５、２６の搬送力よりも小さくてもよい。この場合には、露光位置での搬送ばらつきが小さくなり、画像の品質が向上する。
【００４８】
以上説明したように、本実施の形態に係る写真処理装置１では、露光部２８での露光処理が行われているときにカッター１２での感光材料Ｐの切断が行われる場合には、送り出しローラ対１３と受け入れローラ対２１との間に感光材料Ｐの弛み部が形成されることにより切断時の感光材料Ｐの振動が弛み部で減衰されると共に、感光材料Ｐが切断される直前に、受け入れローラ対２１が感光材料Ｐを挟持するようになるので、カッター１２における切断時の感光材料Ｐの振動が露光処理が行われている感光材料Ｐに伝わりにくくなる。従って、切断時の感光材料Ｐの振動に起因する画像品質の低下が抑制される。
【００４９】
また、感光材料Ｐの後端部が送り出しローラ対１３を通過する直前に、受け入れローラ対２１が感光材料Ｐを挟持するようになるので、感光材料Ｐの後端部がばたついた場合でも、感光材料Ｐの後端部の振動が露光処理が行われている感光材料Ｐに伝わりにくくなる。従って、感光材料Ｐの後端部の振動に起因する画像品質の低下が抑制される。
【００５０】
また、感光材料Ｐが露光搬送ローラ対２５、２６に挟持されつつ露光処理が行われている場合には、感光材料Ｐが切断される直前、感光材料Ｐの後端部が送り出しローラ対１３を通過する直前及び感光材料Ｐの後端部がループ形成領域Ｌを搬送されている間以外は、受け入れローラ対２１が開放状態になっている。従って、通常は、露光処理が行われている感光材料Ｐは露光搬送ローラ対２５、２６だけで挟持されるので、多くのローラ対で挟持される感光材料Ｐに露光処理が行われることにより、画像品質が低下するのが抑制される。
【００５１】
また、感光材料Ｐの後端部がループ形成領域を搬送されている間は、受け入れローラ対２１が感光材料を挟持しているので、この間に感光材料Ｐの後端部がばたついた場合でも、感光材料Ｐの後端部の振動に起因する画像品質の低下が確実に抑制される。
【００５２】
以上、本発明の好適な一実施の形態について説明したが、本発明は上述の実施の形態に限られるものではなく、特許請求の範囲に記載した限りにおいて様々な設計変更が可能なものである。例えば、上述の実施の形態では、感光材料Ｐが切断される直前、感光材料Ｐの後端部が送り出しローラ対１３を通過する直前及び感光材料Ｐの後端部がループ形成領域Ｌを搬送されている間だけ、受け入れローラ２１が挟持状態に切り換えられるが、受け入れローラ２１が挟持状態に切り換えられるのは、感光材料Ｐが切断される直前だけであってもよいし、感光材料Ｐの後端部が送り出しローラ対１３を通過する直前だけであってもよい。
【００５３】
また、上述の実施の形態では、送り出しローラ対１３と受け入れローラ対２１との間で感光材料Ｐの弛みが形成されると共に、感光材料Ｐの後端部が送り出しローラ対１３を通過する直前及び感光材料Ｐの後端部がループ形成領域Ｌを搬送されている間、受け入れローラ２１が挟持状態に切り換えられているが、感光材料Ｐの弛みは形成されなくても、感光材料Ｐの後端部の振動に起因する画像品質の低下は抑制される。
【図面の簡単な説明】
【００５４】
【図１】本発明の実施の形態に係る写真処理装置の概略構成を示す図である。
【図２】図１の写真処理装置のペーパー供給部及び露光搬送部の構成を示す図である。
【図３】ペーパー搬送部及び露光搬送部を感光材料Ｐが搬送される場合の動作を示す図である。
【符号の説明】
【００５５】
１  写真処理装置
７  制御部
１０  ペーパー供給部
１１  導入ローラ対
１２  カッター
１３  送り出しローラ対
２０  露光搬送部
２１  受け入れローラ対
２５  露光搬送ローラ対
２６  露光搬送ローラ対
２８  露光部
【図１】
2007025461.tif 000003
【図２】
2007025461.tif 000004
【図３】
2007025461.tif 000005